(57)【特許請求の範囲】
【請求項１】
施錠および解錠信号を発信する送信機と、本体およびコネクタを有し本体から出た信号線または電力線が束ねられてコネクタに接続され、前記送信機から発せられる信号を受信する受信機と、受信機の信号に応じて扉を自動的に施解錠する施錠機構部を有する電気錠において、受信機は空中線が信号線または電力線と共に束ねられてコネクタに接続されており、扉枠には彫り孔が設けられ、受信機の本体は当該彫り孔内に配置されていることを特徴とする電気錠。
【請求項２】
施錠および解錠信号を発信する送信機と、本体およびコネクタを有し本体から出た信号線または電力線が束ねられてコネクタに接続され、前記送信機から発せられる信号を受信する受信機と、受信機の信号に応じて扉を自動的に施解錠する施錠機構部を有する電気錠において、受信機は空中線が信号線または電力線と共に束ねられてコネクタに接続されていることを特徴とする電気錠。
【発明の詳細な説明】
【０００１】
【産業上の利用分野】
本発明は、扉の施解錠を自動的に行う電気錠に係るものであり、特に遠隔操作によって施解錠を行う電気錠の構成に関するものである。
【０００２】
【従来の技術】
近年、扉の施解錠を遠隔操作によって行う電気錠が普及しつつある。電気錠は、扉等に取り付けられた施錠機構部と居間等に取り付けられる操作スイッチおよび制御器によって構成される。電気錠では、居間等に設けられた操作スイッチを操作すると、制御器を介して施錠機構部に信号が送られる。そして施錠機構部では、モータあるいはソレノイド等の作用によってラッチまたはボルトを動作させる。
電気錠によると、いちいち玄関先まで出向かなくても、扉の施錠や解錠を行うことができる。
【０００３】
【発明が解決しようとする課題】
本発明者は、従来技術の電気錠をヒントに、無線を利用して錠の施解動作を遠隔操作する方策を考え、その電気錠を試作した。すなわち使用者は小型の送信機を持ち、その送信機によって、施錠または解錠の信号を発信する。そしてこの信号を受信機で受信し、制御器を介して所定の信号を施錠機構部へ送る。
【０００４】
本発明者が試作した電気錠を使用する際には、使用者は扉に接近しつつ、すなわち歩きながら送信機を操作する。すると受信機が信号を受信し、制御部を介して施錠機構部に信号が発せられ、錠は自動的に解錠される。
そのため使用者が扉の位置まで歩き着いた時には、解錠は既に完了しており、使用者は単にハンドルやノブを操作するだけで室内に入ることができる。従って従来のように立ち止まっていちいち解錠操作する手間が省ける効果がある。
【０００５】
ところで電気錠を無線によって操作する構成とすると、どうしても無線を受信する受信機が必要となる。
そして無線を使用した電気錠では、使用者が扉に近づきつつ送信機を操作することを想定しているので、受信機は扉の近辺に配置することが望ましい。しかしながら受信機を客の目につく玄関先に置くことは、誠に無粋である。さらに玄関先に受信機を置くと、客にあたかも監視されているような誤解を与えるおそれもある。
【０００６】
また受信機には、微弱な電波を傍受できるように空中線を取り付ける事が望ましいが、空中線が外部から見えると、見栄えが悪く、前記した様に客を監視しているような誤解を受ける可能性が高い。
【０００７】
そこで本発明は、無線操作によって施解錠する電気錠に更なる改良を加えるものであり、受信機の本体や空中線が外部から目立たない電気錠を提案することを目的とするものである。
【０００８】
【課題を解決するための手段】
そして上記した目的を達成するための本発明は、施錠および解錠信号を発信する送信機と、本体およびコネクタを有し本体から出た信号線または電力線が束ねられてコネクタに接続され、前記送信機から発せられる信号を受信する受信機と、受信機の信号に応じて扉を自動的に施解錠する施錠機構部を有する電気錠において、受信機は空中線が信号線または電力線と共に束ねられてコネクタに接続されており、扉枠には彫り孔が設けられ、受信機の本体は当該彫り孔内に配置されていることを特徴とする電気錠である。
【０００９】
またもう一つの発明は、施錠および解錠信号を発信する送信機と、本体およびコネクタを有し本体から出た信号線または電力線が束ねられてコネクタに接続され、前記送信機から発せられる信号を受信する受信機と、受信機の信号に応じて扉を自動的に施解錠する施錠機構部を有する電気錠において、受信機は空中線が信号線または電力線と共に束ねられてコネクタに接続されていることを特徴とする電気錠である。
【００１０】
【作用】
本発明の電気錠では、扉に彫り孔が設けられており、受信機の本体は、この彫り孔内に配置されている。そのため、本発明の電気錠では、受信機の本体部分は全く外部から見えない。また受信機の端面は、彫り孔から外部に露出するものの、当該露出部は、扉と扉枠との僅かな隙間部分であり、外部からは殆ど目立たない。
【００１１】
また空中線は、信号線または電力線と共に束ねられてコネクタに接続されており、信号線等と共に扉枠の内部に収納される。そのため空中線についても外部から目立たない。
【００１２】
【実施例】
以下さらに本発明の具体的実施例について説明する。図１は、本発明の具体的実施例における電気錠のシステム構成を示す説明図である。図２（ａ）は、本発明の具体的実施例における電気錠で採用する受信機と、扉枠との取り付け手順を示す斜視図であり、（ｂ）は、コネクタの斜視図である。図３は、図１の受信機周辺部位の詳細斜視図である。
【００１３】
図１において、１は、本発明の具体的実施例の電気錠を示す。本実施例の電気錠１は、扉２の施解錠を行うものである。本実施例の電気錠１は、送信機３、受信機５、制御器６、テンキースイッチ７、室内操作スイッチ８、施錠機構部１０によって構成される。
【００１４】
各部材の基本的な動作を説明すると、送信機３は、信号を電波に乗せて送信するものである。送信機３は、２つの押しボタン９，１１を有し、その押しボタン９，１１を押すことにより、二種類の信号が送信される。そして前記二種類の信号は、それぞれ、施錠信号と解錠信号として機能する。
受信機５は、送信機３の信号を受信するものであり、コイルや同調回路等の回路は、箱型の本体部１２内に収納されている。また本体部１２の正面には、後記する彫り孔３５へ取り付けるための取り付けフランジ１４が設けられている。
受信機５では、本体部１２の端面から、図２の様に二本の信号線および二本の電力線が単一のチューブ１３によって束ねられた電線束１５として引き出されている。そしてこの電線束１５の先端には、コネクタ１６が接続されている。
【００１５】
また受信機５の本体１２からは、空中線１７となる電線が引き出されている。本実施例では、この空中線１７も、先のチューブ１３内を挿通されており、信号線等と一緒に束ねられている。
また空中線１７は、コネクタ１６の端子１８に接続されているが、コネクタ１６に結合されるコネクタ１９の対応端子２２には、何の線も結合されていない。
本体１２の側面部には、登録スイッチ２３と、登録確認ランプ２４が設けられている。これらは受信機５に特定の送信機が反応可能なように、送信機５を登録する際に使用する。この操作によって登録された送信機の信号のみによって受信機は動作する。
登録スイッチ２３と登録確認ランプ２４は、後記する様に受信機５が扉枠３０に取り付けられた際には、扉枠３０の中に入ってしまい、外部には露出しない。そのため、受信機５が取り付けられた際には、外部から登録スイッチ２３を操作することができず、部外者が他の送信機を持参して受信機に登録するといった心配は無い。
【００１６】
制御器６は、信号の中継、変換、増幅等を行うものである。
【００１７】
テンキースイッチ７は、公知のそれと何ら異なるものではなく、０から９までの数字や、＃等の記号に対応したスイッチが配置されたものである。
【００１８】
室内操作スイッチ８は、施錠スイッチと解錠スイッチが設けられたものであり、本実施例のシステムでは、４つの施錠スイッチを持つ。
【００１９】
施錠機構部１０は、公知の電気錠の機構部分と同一であり、本体２０と、ストライク２１とからなるものである。そしてストライク２１側にソレノイドやモータ等の原動機が内蔵されており、所定の信号によってストライク２１側から施錠用または解錠用押し込みボルトが突出する。
一方本体２０では、本施錠用のデットボルトが内蔵されている。また本体２０には、施錠用および解錠用トリガーボルトが設けられており、このトリガーボルトの押圧に連動してデットボルトが出入りする機構となっている。
施錠機構部１０では、所定の信号を受けて、ストライク２１側から、押し込みボルトが突き出される。すると当該押し込みボルトの端部が本体２０のトリガーボルトを押圧し、デットボルトが出入りしてストライク２１と嵌脱し扉２が施解錠される。
【００２０】
本実施例の電気錠１が取り付けられる扉２は、いわゆる片開き扉であり、扉枠３０に蝶番３１を介して取り付けられている。扉枠３０は、公知のそれと同一であり、木製または鋼やアルミニューム製の枠体であり、壁に対して一体的にはめ込まれている。
【００２１】
扉枠３０の蝶番３１側の内側端面には、図２の様に彫り孔３５が設けられている。そして扉枠３０の彫り孔３５内には前述の受信機５が配置されている。受信機５は、取り付けフランジ１４が彫り孔３５の開口周囲にネジ止めされ、本体１２は、彫り孔３５内にすっぽりと収納される。受信機５から制御器６に至る配線は、彫り孔３５から壁の中を通って配設される。従って受信機５の電線束１５は外部からは見えず、空中線１７についても外部に露出することはない。
また扉枠３０の蝶番３１が無い方の内側端面には、施錠機構部１０のストライク２１が取り付けられており、扉２には、前記したストライク２１と対向して錠本体２０が取り付けられている。
【００２２】
また制御器６は、室内の所定の位置に取り付けられており、室内操作スイッチ８は、居間等に設けられている。一方テンキースイッチ７は、玄関に取り付けられている。
【００２３】
電気錠１の配線関係は、次の通りである。本実施例では、信号の伝達は、制御器６を中心として行われている。
すなわち制御器６から受信機５に配線がされ、また制御器６からテンキースイッチ７および、室内操作スイッチ８に配線がなされている。
また本実施例では、制御器６は、インターホン機能も備えており、玄関先に備えつけられたインターホン外部端末４０と、インターホン室内端末４１も、制御器６と接続されている。本実施例では、インターホンは、モニターテレビ機能を備え、インターホン外部端末４０にはモニターカメラ４３が備えられ、インターホン室内端末４１にはモニター画面４４が備えられている。
【００２４】
次に本実施例の電気錠１の使用方法について説明する。
まず、本実施例の電気錠１は、公知のそれと同様に、テンキースイッチ７を操作することにより解錠することができる。
また室内からは、室内操作スイッチ８を操作することにより、施解錠を行うことができる。
そして本実施例に特有の操作として、送信機３を操作することにより、施解錠を行うことができる。
【００２５】
すなわち使用者が例えば送信機３の施錠スイッチ９を操作した場合、送信機３から特定の信号が発信される。そしてこの信号は、受信機５によって受信される。本実施例の電気錠１では、受信機５の本体から空中線１７が引き出されているので受信感度は良い。
そして受信機５が受信した電波信号は変換されて制御器６に送られる。ここで所定のリレー等が動作され、さらに信号が施錠機構部１０のストライク２１に送られる。ストライク２１内では、原動機が動作して施錠押し込みボルトが突出し、本体２０の施錠トリガーボルトが押圧されて、デッドボルトが突出し、扉２が施錠される。
【００２６】
解錠する際には、送信機３の解錠スイッチ１１を押すと、前述と同様の信号経路によりデッドボルトが後退し、扉２が解錠される。
【００２７】
本実施例の電気錠１では、受信機５の本体１２は、扉枠３０の彫り孔３５の中にあるので、外部からは受信機５の本体１２は全く見えない。また受信機５の端面は、図３の様に彫り孔３５の外部に露出するが、当該部分は、扉２と扉枠３０との隙間部分であって、一般に極めて狭く、また暗い。そのため余程注意して見ない限り、受信機５の存在に気づかない。従って客が来た場合でも、客に不信感を与えることは無い。
【００２８】
以上の実施例では、空中線１７は、信号線および電力線の双方と一緒に束ねたが、例えば受信機自体に電池を内蔵する構成の場合は、電力線は無いので信号線と空中線を束ねる事となる。また逆に空中線１７を電力線だけと束ねてもよい。
【００２９】
【発明の効果】
本発明の電気錠は、受信機の本体が、扉枠の彫り孔内に配置されているので、受信機の本体部分は全く外部から見えない。そのため本発明の電気錠は、玄関の見栄えが良く、客に不快感を与えない効果がある。
【００３０】
また受信機の端面は、彫り孔から外部に露出するものの、当該露出部は、扉と扉枠との僅かな隙間部分であり、外部からは殆ど目立たない。
【００３１】
さらに本発明の電気錠では、空中線は、信号線または電力線と共に束ねられてコネクタに接続されており、信号線等と共に扉枠の内部に収納されているので外部から目立たず、玄関の見栄え向上に寄与する効果がある。
【図面の簡単な説明】
【図１】本発明の具体的実施例における電気錠のシステム構成を示す説明図である。
【図２】（ａ）は、本発明の具体的実施例における電気錠で採用する受信機５と、扉枠との取り付け手順を示す斜視図であり、（ｂ）は、コネクタの斜視図である。
【図３】図１の受信機周辺部位の詳細斜視図である。
【符号の説明】
１  電気錠
２  扉
３  送信機
５  受信機
１０  施錠機構部
１２  本体部
１３  チューブ
１５  電線束
１６  コネクタ
３０  扉枠
３５  彫り孔
【図１】
0003623550.tif 000002
【図２】
0003623550.tif 000003
【図３】
0003623550.tif 000004